(57)【要約】【課題】化粧皿の交換が容易で長寿命化が図られる化粧料容器を提供する。【解決手段】蓋体２が本体１に外挿されている時には、ストッパ２３の挿脱路１２の反対側が蓋体２内周に近接又は接触しているため、挿脱路１２に膨出する突部２０に化粧皿１５が当接してもストッパ２３の反対側が蓋体２につかえストッパ２３の反対側への逃げが阻止され皿１５の離脱が防止され、蓋体２が本体１から抜脱され無い時に、皿１５がスライド移動され突部２０に当接し突部２０が押圧されると、弾性的に片持支持されているストッパ２３が反対側へ逃げるため、皿１５が容易に出入される。斯くの如く皿１５がスライド移動されて本体１に挿脱されるため、皿１５を摘み上下に出入する場合に比して出入が容易とされ且つ指の邪魔になる蓋体２が無く皿１５がスライド移動されるため、皿１５の出入が容易とされる。また、弾性的作用は皿挿脱時のみ働き弾性疲労は低い。【選択図】  図２２
2004167096.tif 000002
【特許請求の範囲】
【請求項１】
一方端が開口され周壁に窓部が開口された筒状の蓋体と、
前記蓋体に挿脱可能に内挿され、前記窓部に対応した化粧料収容部に化粧皿を収容する本体とを、具備し、
前記本体は、前記化粧料収容部と本体外部とを軸線方向に沿って連通し前記化粧皿のスライド移動を可能とする挿脱路と、
この挿脱路に膨出し、前記化粧料収容部に収容されている前記化粧皿のスライド移動を妨げる規制突部と、
この規制突部を有し前記挿脱路の反対側が前記蓋体の内周に近接若しくは接触するストッパと、を具備し、
このストッパは、前記蓋体が前記本体から抜脱されて前記化粧皿が前記挿脱路をスライド移動されて前記規制突部に当接し当該規制突部が押圧されると、前記挿脱路の反対側へ逃げるように、弾性的に片持支持されていることを特徴とする化粧料容器。
【請求項２】
前記本体の全体が、弾性変位可能な部材で構成されていることを特徴とする請求項１記載の化粧料容器。
【請求項３】
前記規制突部は、前記化粧料収容部に収容されている前記化粧皿に接触若しくは近接していることを特徴とする請求項１又は２記載の化粧料容器。
【請求項４】
前記蓋体は円筒形状を成し、
前記蓋体と前記本体とが相対回動されると、その回動位置に応じて、前記蓋体の前記窓部が前記化粧料収容部の前記化粧皿に対面して化粧料が露出し、又、前記蓋体の前記窓部を除く部分が前記化粧皿の露出を遮ることを特徴とする請求項１〜３の何れか一項に記載の化粧料容器。
【請求項５】
前記本体は、略半円断面の底部と、
この底部の両側に立設されて軸線方向に延びると共に略Ｌ字の上下を逆にし対向して成る断面のガイド部と、を備え、
前記底部及び前記ガイド部で画成される領域が、前記挿脱路を構成すると共に前記化粧料収容部を構成することを特徴とする請求項１〜４の何れか一項に記載の化粧料容器。
【発明の詳細な説明】
【０００１】
【発明の属する技術分野】
本発明は、化粧料容器に関し、詳しくは、化粧料を収容した化粧皿を備える化粧料容器に関する。
【０００２】
【従来の技術】
この種の化粧料容器としては、容器本体に凹設された化粧料収容部に、化粧料を収容した化粧皿を収容する一方で、化粧皿の外周面に係合溝を形成し、化粧料収容部の第一内壁面に、化粧皿の係合溝に係合可能な第一係合突起を形成すると共に、化粧料収容部の上記第一内壁面に対向する第二内壁面に、一対のスリットで挟んで一端を自由端とする爪を形成し、この爪の自由端に、化粧皿の係合溝に係合する第二係合突起を形成すると共に、化粧料収容部の第三内壁面に、一対のスリットで挟んで一端を自由端とする撓み変形可能な弾性片を形成し、この弾性片の自由端に、化粧料収容部内に突出させて化粧皿を化粧料収容部の上記第三内壁面に対向する第四内壁面に向かって押圧する凸部を形成したものが知られている（例えば、特許文献１参照）。
【０００３】
【特許文献１】
特開２００１−５４４２３号公報
【０００４】
この特許文献１の化粧料容器にあっては、化粧料が消費されて化粧皿を交換する場合には、化粧皿を第二内壁面に向けて押すことで爪を撓ませつつ第一係合突起から係合溝を離脱させ、化粧皿をその第一係合突起側が上方となるように斜め上方に持ち上げて第二係合突起から係合溝を離脱させることで、化粧皿を取り出し、一方、化粧皿を上方から化粧料収容部に挿入することにより、化粧料の下端部で爪を押し開きつつ当該化粧皿の係合溝が第一係合突起に係合すると共に、爪に形成した第二係合突起が係合溝に位置した時点で爪が復帰して当該第二係合突起が係合溝に係合し、この時、第三内壁面の弾性片が押し広げられ、その弾力性により化粧皿を第四壁面側に押し付けその移動を拘束することで、化粧皿を装着する。
【０００５】
【発明が解決しようとする課題】
しかしながら、上記化粧料容器では、化粧皿を摘んで上方に取り出し／下方に置く必要があるため、化粧皿を交換する出し入れが面倒である。また、化粧料収容部内壁面の爪及び弾性片が、化粧皿が化粧料収容部に収容されている間中及び出し入れ時に当該化粧皿に弾性作用するため、弾性疲労が大きく、長寿命化が図れない。
【０００６】
本発明は、このような課題を解決するために成されたものであり、化粧皿の交換が容易とされると共に長寿命化が図られる化粧料容器を提供することを目的とする。
【０００７】
【課題を解決するための手段】
本発明による化粧料容器は、一方端が開口され周壁に窓部が開口された筒状の蓋体と、蓋体に挿脱可能に内挿され、窓部に対応した化粧料収容部に化粧皿を収容する本体とを、具備し、本体は、化粧料収容部と本体外部とを軸線方向に沿って連通し化粧皿のスライド移動を可能とする挿脱路と、この挿脱路に膨出し、化粧料収容部に収容されている化粧皿のスライド移動を妨げる規制突部と、この規制突部を有し挿脱路の反対側が蓋体の内周に近接若しくは接触するストッパと、を具備し、このストッパは、蓋体が本体から抜脱されて化粧皿が挿脱路をスライド移動されて規制突部に当接し当該規制突部が押圧されると、挿脱路の反対側へ逃げるように、弾性的に片持支持されていることを特徴としている。
【０００８】
このような化粧料容器によれば、蓋体に本体が内挿されている通常時には、規制突部を有するストッパの挿脱路の反対側が、蓋体の内周に近接若しくは接触しているため、挿脱路に膨出する規制突部に対して化粧料収容部に収容されている化粧皿が当接しても、規制突部を有するストッパの反対側が蓋体につかえて当該ストッパの反対側への逃げが阻止され、化粧皿の化粧料収容部からの離脱が防止される一方で、蓋体が本体から抜脱されて無い状態では、化粧皿が挿脱路をスライド移動され規制突部に当接して当該規制突部が押圧されると、弾性的に片持支持されているストッパが反対側へ逃げ、化粧皿は本体に対して容易に出し入れ可能とされる。このように、化粧皿はスライド移動により本体に対して挿脱されるため、従来の化粧皿を摘んで上方に取り出し／下方に置く場合に比して、化粧皿の出し入れが容易とされる。しかも、指の邪魔になる蓋体の無い状態であるから化粧皿のスライド移動が容易とされ化粧皿の出し入れが一層容易とされる。また、弾性的作用は、化粧皿の挿脱時にのみ働き通常時は働かないため、弾性疲労は低く抑えられる。
【０００９】
ここで、ストッパが挿脱路の反対側に逃げるように弾性的に片持支持するには、支持部のみを弾性変位可能な部材で構成すれば良いが、本体の全体を、弾性変位可能な部材で構成すれば、その製造が容易とされる。
【００１０】
また、規制突部は、化粧料収容部に収容されている化粧皿に接触若しくは近接していると、化粧皿が化粧料収容部に容易に留められる。
【００１１】
ここで、蓋体としては、例えば角筒等も挙げられるが、円筒形状を成し、蓋体と本体とが相対回動されると、その回動位置に応じて、蓋体の窓部が化粧料収容部の化粧皿に対面して化粧料が露出し、又、蓋体の窓部を除く部分が化粧皿の露出を遮る構成を採用するのが好ましい。
【００１２】
また、上記作用を効果的に奏する本体の構成としては、具体的には、例えば、略半円断面の底部と、この底部の両側に立設されて軸線方向に延びると共に略Ｌ字の上下を逆にし対向して成る断面のガイド部と、を備え、底部及びガイド部で画成される領域が、挿脱路を構成すると共に化粧料収容部を構成するという構成が挙げられる。
【００１３】
【発明の実施の形態】
以下、本発明による化粧料容器の好適な実施形態について、図１〜図２３の添付図面を参照しながら詳細に説明する。図１〜図４は、化粧料容器を示す各図、図５〜図１１は、本体を示す各図、図１２〜図１５は、蓋体を示す各図、図１６〜図２３は、化粧料容器の作用を示す各図であり、当該化粧料容器は、例えばチーク、アイシャドウ、フェイスパウダー等の粉体化粧料を収容するものである。
【００１４】
図１〜図２に示すように、化粧料容器１００は、その全体形状が筆記具の如き細長い棒状（スティック状）を成し良好な外観を呈するもので、図１〜図４に示すように、粉体化粧料を収容する本体１と、本体１に外挿され当該本体１に着脱可能且つ相対回動可能に装着される蓋体２と、本体１の後端側（図１〜図３の図示右側）に着脱可能に装着される塗布具としての専用チップ３と、を備えている。
【００１５】
蓋体２は、図１２〜図１５に示すように、例えばアルミ等で成形されて薄肉の略円筒形状を成し、挿入側の一方端（図１２及び図１３の図示右側）が開口２ａとされていると共に他方端が蓋部２ｂで閉じられる形状とされている。この蓋体２には、当該蓋体２を通して本体１の化粧料が露出するのを可能とすべく、図１２〜図１４に示すように、その周壁に、軸線方向に沿って平面視長方形（図１２参照）の窓部４が開口されている。
【００１６】
また、蓋体２には、当該蓋体２が本体１で案内されるのを可能にすると共に本体１の後述の特定位置で係止されるのを可能とすべく、図１３及び図１５に示すように、その周壁の底部側で窓部４より多少開口２ａ側の所定位置に、内側に突出する摺動突部（ダボとも称される）５が、周壁を内側に凹設することで設けられている。
【００１７】
蓋体２に内挿される本体１は、図５〜図８に示すように、化粧料収容部２８を含み先端（図示左側）から所定長を有する長尺な基部７と、この基部７の後端に外周段部８を介し外周面が大径とされて連続する略円筒形状の後端部９と、を例えば軟質樹脂等を始めとした弾性変位可能な材料で一体成形して成る。
【００１８】
基部７は、図９に示すように、図示下方に湾曲する略半円断面で軸線方向に延びる底部１０と、この底部１０の両側に立設されて軸線方向に延びると共に略Ｌ字の上下を逆にし対向して成る断面のガイド部１１，１１と、を備えている。このガイド部１１の外周面は、底部１０の外周面と同じ円弧で連続する形状とされ、蓋体２の内周径より若干小径とされている。
【００１９】
この基部７は、図５〜図８に示すように、底部１０及びガイド部１１，１１が先端から所定範囲迄連続して主要部を構成し、この底部１０及びガイド部１１，１１の後端に、底部１０の外周径と同一外周径の円筒形状部１３が、同一外周径の円板状の隔壁１４を介して連続し、この円筒形状部１３に、上記円筒形状の後端部９が外周段差８を介して連続する構成とされている。この後端部９の内周と円筒形状部１３の内周とは連続する内周面とされ、これに図１〜図３に示すように専用チップ３が内挿されて装着されている。
【００２０】
そして、図７〜図９に示すように、基部７の底部１０の上面が、化粧料を収容した化粧皿１５（金皿とも称す；図１及び図３参照）がスライド移動する際のスライド面１２ａとされると共に、ガイド部１１，１１の両内面が、化粧皿１５がスライド移動する際の案内面とされ、このスライド面１２ａとガイド部１１，１１の両内面とで画成される領域が、化粧皿１５をスライド移動して本体外部と挿脱する挿脱路１２とされている。図１０に示すように、この挿脱路１２の本体外部との連通口は化粧皿１５の交換口１２ｂとされている。
【００２１】
また、底部１０は、その先端側（図５、図７、図８、図１０の図示左側）に、図５、図７〜図１０に示すように、挿脱路１２に膨出する規制突部２０を備え、この挿脱路１２の規制突部２０から隔壁１４迄の間が、化粧皿１５を収容する化粧料収容部２８とされている。
【００２２】
この規制突部２０は、化粧料収容部２８に収容されている化粧皿１５の離脱を防止するもので、底部１０の先端部に形成される半島部２１に突設されている。
【００２３】
この半島部２１は、図５、図９及び図１０に示すように、底部１０の摺動突部２０より後端側の位置で挿脱路１２の反対側の底面位置を、底部１０の先端側から見て摺動突部２０を挟む範囲で、挿脱路１２側に所定長凹設して第一凹設部２２ａを設けると共に、図５及び図９に示すように、底部１０の先端側から摺動突部２０を挟む位置で、当該底部１０の先端面から上記第一凹設部２２ａに繋がり且つ第一凹設部２２ａを挟むように凹設して第二凹設部２２ｂ，２２ｂを設けることで、形成されている。
【００２４】
すなわち、この半島部２１は、図９及び図１０に示すように、略直方体を成すストッパ２３を、図１０に示すように、支持部２４で弾性的に片持支持して成るもので、このストッパ２３の底面は、図９及び図１０に示すように、底部１０の底面円弧より、多少短くされると共に小曲率の円弧とされている。また、半島部２１は、その先端面が、図５及び図１０に示すように、底部１０の半島部２１を除く部分の先端面１０ａより多少後端側へ凹む形状とされている。
【００２５】
また、本体１は、図６に示すように、その周壁に、蓋体２の挿脱及び回動を案内すべく、蓋体２の摺動突部５が進入して摺動する第一、第二案内溝３０，３１を各々備えている。
【００２６】
第一案内溝３０は、蓋体２の挿脱を案内するもので、図９及び図１１に示すように、底部１０の先端面でストッパ２３寄りの位置（本実施形態ではストッパ２３寄りの図示右側位置）から軸線方向に沿って延び、図６に示すように、化粧料収容部２８（隔壁１４）を越えて円筒形状部１３に達するように形成され、図１６に示すように、この第一案内溝３０の終端に摺動突部５が位置している時に、図１７に示すように、蓋体２の窓部４が化粧料収容部２８の大部分を露出させる一方で窓部４を除く部分が化粧料収容部２８の一部を遮蔽する構成とされている。
【００２７】
なお、図６に示すように、第一案内溝３０の本体外部との連通口３０ａは、それ以外の部分より拡大しながら本体外部に向かう拡大口とされ、蓋体２の摺動突部５が進入しやすい形状とされている。
【００２８】
第二案内溝３１は、蓋体２の回動を案内するもので、図６及び図１１に示すように、第一案内溝３０の終端から、図１１の図示反時計方向の円周方向に沿って延び、底部１０の反対側の頂点近くに達するように形成されている。この第二案内溝３１の終端は遮蔽位置とされ、図２０に示すように、当該遮蔽位置に摺動突部５が位置している時に、図２１に示すように、蓋体２の窓部４を除く部分が化粧料収容部２８の全体を遮蔽して露出を遮る構成とされている。
【００２９】
また、この第二案内溝３１は、図１８に示すように、第一案内溝３０寄りの位置が露出位置とされ、当該露出位置に摺動突部５が位置している時に、図１９に示すように、蓋体２の窓部４が化粧料収容部２８の全面に対面し全体が露出する構成とされている。
【００３０】
このような第二案内溝３１は、さらに、蓋体２が勝手に回動しないように摺動突部５を上記露出位置、遮蔽位置に保持しておくための露出係止突部４０ａ，４０ｂ、遮蔽係止突部４１を各々備えている。
【００３１】
図１１に示すように、これらの係止突部４０ａ，４０ｂ，４１は、第二案内溝３１の底面に本体１（円筒形状部１３）から膨出している浅めの突部であり、一対の露出係止突部４０ａ，４０ｂは、一方の係止突部４０ａが第一案内溝３０との境界部に位置すると共に両者の係止突部４０ａ，４０ｂ間に露出位置が設定されて当該露出位置に摺動突部５を留める突部とされ、遮蔽係止突部４１は、第二案内溝３１の終端面との間に遮蔽位置が設定されて当該遮蔽位置に摺動突部５を留める突部とされている。
【００３２】
そして、これらの係止突部４０ａ，４０ｂ，４１は、手よる所定以上の回動操作力が作用する迄は摺動突部５の移動を妨げる突部とされている。
【００３３】
このような構成を有する本体１と上記蓋体２を備える化粧料容器１００では、図３及び図４に示すように、本体１に対して蓋体２が外挿され、図３に示すように、蓋体２の開口２ａ端が本体１の外周段部８に突き当てられることで本体１と蓋体２との位置決めが成され、この状態で、蓋体２の摺動突部５が本体１の第二案内溝３１に位置し蓋体２が本体１に対して軸線方向に離脱不能に装着されている。
【００３４】
この状態では、図４及び図２２に示すように、本体１のストッパ２３は、その底面が、蓋体２との間に若干の隙間を有する近接状態にある。また、この状態で、化粧料容器１００には、図３及び図４に示すように、本体１の化粧料収容部２８に化粧皿１５が収容されている。本実施形態では、図３に示すように、化粧皿１５が二皿配置されている。
【００３５】
次に、このような構成を有する化粧料容器１００の作用を詳説するが、説明の都合上、摺動突部５が、図２０に示すように、遮蔽位置に位置し、図２１に示すように、蓋体２の窓部４を除く部分が化粧料収容部２８全体を覆い化粧皿１５の露出が遮られ蓋されている状態から説明する。
【００３６】
ここで、化粧料を塗布する場合には、使用者は、本体１と蓋体２とを摘み摺動突部５が露出位置に位置する方向に相対回動する。この時、本体１と蓋体２とを多少強い力で相対回動することで、例えば軟質樹脂等の弾性変形可能な部材で成形されている本体１の遮蔽係止突部４１が潰れる変形をすると共に例えばアルミ等で成形されている薄肉円筒形状の蓋体２が楕円状に変形され、遮蔽位置に位置している摺動突部５が遮蔽係止突部４１を円滑に乗り越える。
【００３７】
そして、使用者は本体１と蓋体２とをさらに相対回動すると、摺動突部５が第二案内溝３１に案内されて周方向に沿って摺動し他方の（最初の）露出係止突部４０ｂに達したら、本体１と蓋体２とを上記と同様に多少強い力でさらに相対回動する。
【００３８】
これにより、摺動突部５が他方の露出係止突部４０ｂを円滑に乗り越えて図１８に示す露出位置に達し、図１９に示すように、蓋体２の窓部４が化粧料収容部２８の化粧皿１５の全面に対面し化粧料が露出する使用可状態に供される。
【００３９】
この状態で、使用者は、例えば専用チップ３を用いて窓部４を通して化粧料を例えば皮膚等に塗布する。
【００４０】
この時、摺動突部５は、図１８に示すように、露出係止突部４０ａ，４０ｂ間に挟まれて露出位置に係止されているため、本体１と蓋体２とが勝手に相対回動してしまうことは無く、且つ、一方の露出係止突部４０ａに隣接する第一案内溝３０へ摺動突部５が進入して蓋体２が本体１から勝手に離脱してしまうことは無く、使用者は塗布を落ち着いて安心して行える。
【００４１】
ここで、化粧料の塗布が終わったら、使用者は、本体１と蓋体２とを上記とは逆方向に多少強い力で相対回動し、摺動突部５が他方の露出係止突部４０ｂを円滑に乗り越えたら、本体１と蓋体２とをさらに相対回動し、摺動突部５が第二案内溝３１に案内されて周方向に沿って摺動し遮蔽係止突部４１に達したら、本体１と蓋体２とを上記と同様に多少強い力でさらに相対回動する。
【００４２】
これにより、摺動突部５が遮蔽係止突部４１を円滑に乗り越えて図２０に示す遮蔽位置に達し、図２１に示すように、蓋体２の窓部４を除く部分により化粧皿１５の露出が遮られて蓋される使用不可状態に供される。
【００４３】
この状態では、摺動突部５は、図２０に示すように、第二案内溝３１の終端面と遮蔽係止突部４１との間に挟まれて遮蔽位置に係止されているため、例えば携行時等の振動等により本体１と蓋体２とが勝手に相対回動してしまい化粧料が露出して他の携行品を汚すこと、化粧料容器１００を掴もうとして指を汚すこと等が防止されている。
【００４４】
また、このように化粧料を使用しない携行時等の図２０に示す状態にあっては、図２１に示すように、第一案内溝３０が、蓋体２の窓部４を除く部分により覆われているため、第一案内溝３０が蓋体２により隠され、良好な外観が維持されている。
【００４５】
そして、このような化粧料容器１００にあっては、例えば振動、衝撃、使用者の指との接触等で、化粧皿１５が化粧料収容部２８から移動しようとしても、図２２に示すように、先端側（図示左側）へのスライド移動は、化粧皿１５に接触若しくは近接する規制突部２０により容易に阻止され、図４に示すように、化粧皿１５の皿開放方向（図４の上方向）への移動は、ガイド部１１の化粧皿１５より上方に張り出している張出突部１１ａ，１１ａにより阻止される。
【００４６】
ここで、化粧皿１５を、化粧料収容部２０からさらに先端側へスライド移動して規制突部２０を乗り越えさせようとしても、規制突部２０を有するストッパ２３の反対側の底面が蓋体２につかえるため、当該ストッパ２３の反対側への逃げが阻止され、化粧皿１５は規制突部２０によりそれ以上のスライド移動が妨げられて化粧料収容部２８に留められる。
【００４７】
このように、本体１に蓋体２が装着されている通常時にあっては、化粧皿１５は化粧料収容部２８から離脱することは無い。
【００４８】
次に、化粧料収容部２８に収容されている化粧皿１５の化粧料が消費され新規な化粧皿と交換する場合について説明する。
【００４９】
この場合には、使用者は、先ず、本体１と蓋体２とを摺動突部５が第一案内溝３０に位置する方向へ相対回動する。ここで、摺動突部５が、遮蔽、露出係止突部４１，４０ｂ，４０ａを乗り越える場合には、上述のように、使用者は多少強い力で相対回動する。
【００５０】
そして、摺動突部５が一方の露出係止突部４０ａを乗り越えて、図１６及び図１７に示すように、第一案内溝３０に進入したら、使用者は、蓋体２を本体１から軸線方向に抜脱していく。すると、摺動突部５が第一案内溝３０に案内されて軸線方向に沿って摺動し、蓋体２が本体１から容易に離脱される。
【００５１】
この本体１から蓋体２が離脱された状態で、使用者は、指で化粧皿１５の縁の上端面に触れ当該化粧皿１５を本体外部へ向けてスライド移動する。
【００５２】
すると、化粧皿１５は挿脱路１２をスライド移動して規制突部２０に当接し、当該規制突部２０が押圧される。
【００５３】
この時、蓋体２が無いため、図２３に示すように、支持部２４により弾性的に片持支持されているストッパ２３が反対側へ逃げ、化粧皿１５は、交換口１２ｂを通して本体１から容易に抜脱される。
【００５４】
次いで、本体１に対して新規な化粧皿１５を装着する場合には、本体１の交換口１２ｂを通して新規な化粧皿１５をスライド移動で挿入していく。
【００５５】
この時、化粧皿１５が規制突部２０に当接して当該規制突部２０が押圧され、上述したように、支持部２４により弾性的に片持支持されているストッパ２３が反対側へ逃げ、化粧皿１５は挿脱路１２をスライド移動して本体１の化粧料収容部２８に容易に収容される。
【００５６】
斯くの如く、ストッパ２３を片持支持する支持部２４の弾性的作用は、化粧皿１５を挿脱する際にのみ働き、本体１に蓋体２が装着されている通常時にあっては働くことは無い。
【００５７】
そして、このようにして化粧皿１５を交換したら、使用者は、蓋体２を本体１に対して外挿する。この場合には、使用者は、本体１と蓋体２を、本体１の第一案内溝３０と蓋体２の摺動突部５とが合うようにして、蓋体２を本体１に対して外挿する。
【００５８】
すると、図１７に示すように、摺動突部５が第一案内溝３０に進入し当該第一案内溝３０に案内されて軸線方向に沿って摺動し、図１６に示すように、第一案内溝３０の終端に達したら、使用者は、摺動突部５が第二案内溝３１に位置する方向へ本体１と蓋体２とを上記と同様に多少強い力で相対回動する。
【００５９】
これにより、摺動突部５が一方の露出係止突部４０ａを円滑に乗り越えて、図１８に示す露出位置に達して第二案内溝３１に係合され、蓋体２が本体１に容易に装着されることになる。
【００６０】
以降は、上述したように、使用者により本体１と蓋体２とが相対回動されることで、摺動突部５が図２０に示す遮蔽位置に係合する使用不可状態（図２１参照）、摺動突部５が図１８に示す露出位置に係合する使用可状態（図１９参照）に適宜供される。
【００６１】
このように、本実施形態においては、蓋体２に本体１が内挿されている通常時には、規制突部２０を有するストッパ２３の挿脱路１２の反対側が、蓋体２の内周に近接しているため、挿脱路１２に膨出する規制突部２０に対して化粧料収容部２８に収容されている化粧皿１５が当接しても、規制突部２０を有するストッパ２３の反対側が蓋体２につかえて当該ストッパ２３の反対側への逃げが阻止され、化粧皿１５の化粧料収容部２８からの離脱が防止される一方で、蓋体２が本体１から抜脱されて無い状態では、化粧皿１５が挿脱路１２をスライド移動され規制突部２０に当接して当該規制突部２０が押圧されると、支持部２４により弾性的に片持支持されているストッパ２３が反対側へ逃げ、化粧皿１５は本体１に対して容易に出し入れされる。斯くの如く、化粧皿１５はスライド移動により本体１に対して挿脱されるため、従来の化粧皿を摘んで上方に取り出し／下方に置く場合に比して、化粧皿１５の出し入れが容易とされている。しかも、指の邪魔になる蓋体２の無い状態であるから化粧皿１５のスライド移動が容易とされ化粧皿１５の出し入れが一層容易とされている。従って、化粧皿１５の交換を容易とすることが可能とされている。また、支持部２４の弾性的作用は、化粧皿１５の挿脱時にのみ働き通常時は働かないため、弾性疲労が低く抑えられている。従って、長寿命化を図ることが可能とされている。
【００６２】
また、本実施形態においては、以下の効果もある。すなわち、摺動突部５と第一案内溝３０が合うようにして蓋体２が本体１に外挿されていくことで、摺動突部５が第一案内溝３０に進入し軸線方向に沿って案内されて摺動し、蓋体２と本体１とが相対回動されることで、摺動突部５が第二案内溝３１に進入し周方向に沿って案内されて摺動し、これにより蓋体２が本体１に容易に装着され、この状態で、蓋体２と本体１とが相対回動されることで、摺動突部５が第二案内溝３１の露出位置に位置し、蓋体２の窓部４が化粧料収容部２８に対面して化粧料が露出する使用可状態に供され、又、蓋体２と本体１とが相対回動されることで、摺動突部５が第二案内溝３１の遮蔽位置に位置し、蓋体２の窓部４を除く部分が化粧料収容部２８の露出を遮る使用不可状態に供され、一方、摺動突部５が第二案内溝３１に位置する状態で、蓋体２と本体１とが相対回動されることで、摺動突部５が第二案内溝３１から第一案内溝３０に進入し、この状態で、蓋体２が本体１から抜脱されていくことで、摺動突部５が第一案内溝３０に案内されて軸線方向に沿って摺動し、蓋体２が本体１から容易に離脱される。従って、蓋体２の本体１に対する着脱を容易とすることが可能とされている。
【００６３】
以上、本発明をその実施形態に基づき具体的に説明したが、本発明は上記実施形態に限定されるものではなく、例えば、上記実施形態においては、蓋体２の本体１に対する挿脱時に蓋体２の挿入側端面がストッパ２３の底部を擦り支持部２４に弾性負荷を与えて弾性疲労が増大する虞があるため、ストッパ２３の底面が蓋体２の内周に対して若干の隙間を有する近接状態としているが、ストッパ２３の底面が蓋体２の内周に接触する構成を採用することも可能である。
【００６４】
また、上記実施形態においては、蓋体２の肉厚を薄くし得る点から摺動突部５を蓋体２に設けているが、本体１の外周に摺動突部５を、蓋体２の内周に第一、第二案内溝３０，３１を設けることも可能である。
【００６５】
また、上記実施形態においては、製造を容易とすべく、本体１全体を弾性変位可能な部材で構成しているが、支持部２４のみを弾性変位可能な部材で構成しても上述した作用・効果を奏することが可能である。
【００６６】
また、上記実施形態においては、蓋体２と本体１の両方が変形して摺動突部５が係止突部４０ａ，４０ｂ，４１を円滑に乗り越えるようにしているが、少なくとも一方が弾性変形可能な部材で構成されていれば、摺動突部５が係止突部４０ａ，４０ｂ，４１を円滑に乗り越えることが可能である。
【００６７】
また、上記実施形態においては、蓋体２の窓部４を平面視長方形としているが、軸線方向にさらに長くして蓋体２の端面迄達し外部開放として外部と連通する窓部であっても良い。
【００６８】
また、上記実施形態においては、化粧料収容部２８は化粧皿を二個収容する構成であるが、一個若しくは三個以上の化粧皿を収容する構成に対しても勿論適用可能である。
【００６９】
また、上記実施形態においては、蓋体２を円筒形状としているが、角筒であっても良い。この場合、角筒に内挿される本体としては、この角筒の内周に合うような形状の外周面を有するものが採用される。
【００７０】
【発明の効果】
本発明による化粧料容器によれば、化粧皿がスライド移動されて本体に対して挿脱されるため、従来の化粧皿を摘んで上方に取り出し／下方に置く場合に比して化粧皿の出し入れが容易とされ、且つ、指の邪魔になる蓋体が無い状態で化粧皿がスライド移動されるため、化粧皿の出し入れが一層容易とされる。従って、化粧皿の交換を容易とすることが可能となる。また、弾性的作用は化粧皿の挿脱時にのみ働き通常時は働かないため、弾性疲労は低く抑えられる。従って、長寿命化を図ることが可能となる。
【図面の簡単な説明】
【図１】本発明の実施形態に係る化粧料容器を示す平面図である。
【図２】図１に示す化粧料容器の正面図である。
【図３】図１のＩＩＩ−ＩＩＩ矢視図である。
【図４】図３のＩＶ−ＩＶ矢視図である。
【図５】図３中の本体を示す平面図である。
【図６】図５に示す本体の正面図である。
【図７】図５のＶＩＩ−ＶＩＩ矢視図である。
【図８】図６のＶＩＩＩ−ＶＩＩＩ矢視図である。
【図９】図５に示す本体の左側面図である。
【図１０】図７中のＡ部の拡大図である。
【図１１】図６のＸＩ−ＸＩ矢視図である。
【図１２】図１中の蓋体の平面図である。
【図１３】図１２に示す蓋体の正面図である。
【図１４】図１３のＸＩＶ−ＸＩＶ矢視図である。
【図１５】図１３のＸＶ−ＸＶ矢視図である。
【図１６】蓋体の摺動突部が本体の第一案内溝に位置している状態を示す化粧料容器の横断面図である。
【図１７】図１６の状態での蓋体の窓部と本体の化粧料収容部との位置関係を示す化粧料容器の横断面図である。
【図１８】蓋体の摺動突部が本体の第二案内溝の露出係止突部に係止されている状態を示す化粧料容器の横断面図である。
【図１９】図１８の状態での蓋体の窓部と本体の化粧料収容部との位置関係を示す化粧料容器の横断面図である。
【図２０】蓋体の摺動突部が本体の第二案内溝の遮蔽係止突部に係止されている状態を示す化粧料容器の横断面図である。
【図２１】図２０の状態での蓋体の窓部と本体の化粧料収容部との位置関係を示す化粧料容器の横断面図である。
【図２２】通常時の化粧料容器先端側の状態を示す縦断面図である。
【図２３】化粧皿交換時の化粧皿及び本体先端側の状態を示す縦断面図である。
【符号の説明】
１…本体、２…蓋体、４…窓部、１０…本体底部、１１…ガイド部、１２…挿脱路、１２ａ…スライド面、１５…化粧皿、２０…規制突部、２１…半島部、２３…ストッパ、２４…支持部、２８…化粧料収容部、１００…化粧料容器。
【図１】
2004167096.tif 000003
【図２】
2004167096.tif 000004
【図３】
2004167096.tif 000005
【図４】
2004167096.tif 000006
【図５】
2004167096.tif 000007
【図６】
2004167096.tif 000008
【図７】
2004167096.tif 000009
【図８】
2004167096.tif 000010
【図９】
2004167096.tif 000011
【図１０】
2004167096.tif 000012
【図１１】
2004167096.tif 000013
【図１２】
2004167096.tif 000014
【図１３】
2004167096.tif 000015
【図１４】
2004167096.tif 000016
【図１５】
2004167096.tif 000017
【図１６】
2004167096.tif 000018
【図１７】
2004167096.tif 000019
【図１８】
2004167096.tif 000020
【図１９】
2004167096.tif 000021
【図２０】
2004167096.tif 000022
【図２１】
2004167096.tif 000023
【図２２】
2004167096.tif 000024
【図２３】
2004167096.tif 000025